(57)【要約】【課題】何ら治具を使うことなく手で簡単に蓋体を開閉でき、開口に蓋をすれば不用意に蓋体が浮き上がらず安全性に富み、さらに開口内の面積を狭めるものがなくマンホール等の人の出入り口用としても有用な開閉蓋を提供する。【解決手段】開口枠１の一側寄りの開口１０内を横断して開口枠１の枠板１１に支持される軸部材２と、該軸部材２に一体的に支持され、開口１０に蓋をし得る大きさで且つ該軸部材２を支点に回動させ開口の開け閉めを可能にする蓋体３と、前記軸部材２に固着されるスプロケット４１と、該スプロケット４１にチェーン５１の一端が止着され、該チェーン５１の他端が弾性部材５５を介在させて前記開口枠１に止着される引張具５と、を具備し、前記弾性部材５５を弾性伸長させた状態にして、前記蓋体３が開口１０に蓋されるようにした。【選択図】　図１
2004137695.tif 000002
【特許請求の範囲】
【請求項１】
開口枠の一側寄りの開口内を横断して開口枠の枠板に支持される軸部材（２）と、該軸部材に一体化して支持され、開口に蓋をし得る大きさで且つ該軸部材を支点に回動させ開口の開け閉めを可能にする蓋体（３）と、前記軸部材に固着されるスプロケット（４１）と、該スプロケットにチェーンの一端が止着され、該チェーンの他端が弾性部材を介在させて前記開口枠に止着される引張具（５）と、を具備し、
前記弾性部材を弾性伸長させた状態にして、前記蓋体が開口に蓋されるようにしたことを特徴とする開閉蓋。
【請求項２】
開口枠の一側寄りの開口内を横断して開口枠の枠板に支持される軸部材（２）と、該軸部材に一体化して支持され、開口に蓋をし得る大きさで且つ該軸部材を支点に回動させ開口の開け閉めを可能にする蓋体（３）と、前記軸部材が前記開口枠の開口内から枠板外に突出する突出部に固着されるスプロケット（４１）と、該スプロケットにチェーンの一端が止着され、該チェーンの他端が弾性部材を介在させて前記開口枠に止着される引張具（５）と、を具備し、
前記弾性部材を弾性伸長させた状態にして、前記蓋体が開口に蓋されるようにしたことを特徴とする開閉蓋。
【請求項３】
前記スプロケットをプーリに変更し、且つ前記チェーンをベルト又はロープに変更してなる請求項１又は２に記載の開閉蓋。
【発明の詳細な説明】
【０００１】
【発明の属する技術分野】
本発明は流雪溝の投雪口、或いは電線，光ケーブル用共同溝等のマンホールの開口などに設けられる開閉蓋に関する。
【０００２】
【従来の技術】
例えば降雪地帯では流雪溝の投雪口の開閉蓋を開け、雪かきして集めた雪をそこへ投入して流雪溝の底を流れる水で溶解させて雪を処理する方法がある。この開閉蓋は道路に設けられるため、金属製で頑強にし重量的に重いものになっている。そのため、作業者が開閉蓋を開け閉めする際の労力負担が大きく、これを改善する開閉蓋の発明技術がこれまでいくつか提案されてきた（例えば、特許文献１，２，３参照。）。
【０００３】
【特許文献１】
特開平１１−２６９９６８号公報（第２−４頁，図１）
【特許文献２】
特許第２６５８４８号号公報（第２−６頁，図１）
【特許文献３】
特開２０００−１９２５３３号公報（第２−４頁，図１）
【０００４】
【発明が解決しようとする課題】
しかるに、特許文献１は操作ロッドを必要とし作業者はそれを持ち歩かねばならなかった。また開閉蓋を撥ね上げる方向に作用するつる巻きバネが設けられ、つる巻きバネの作用に抗して開閉蓋をロック手段が押さえ込んでいるため、何かのはずみでロック手段が外れると溝蓋が自然に開く不具合を招いた。ロック手段のロックの確実，安全性が求められ、その結果、製品がコスト高の傾向にあった。
特許文献２も構造が複雑であることから製品のコスト高を招き、また投雪口に投入した雪がスムーズに流れず、投雪口付近まで雪が溜まったケースでは、蓋を閉めようとしてもバランスウエイトの動きが雪に邪魔されて、蓋が閉め難い等の問題があった。
特許文献３は投雪口たる開口に、雪かきして集めた雪を投入する際、第２アームにスコップが当たり作業に支障をきたした。またバネ機構体が蓋本体を浮上させ、開口の口がともすれば開き加減になる問題があった。
また、特許文献２，３はバランスウエイトやバネ機構体が開口内に張り出しているため、斯る開閉蓋を例えば電線，光ケーブル用共同溝や下水道に通じるマンホールへ適用する場合、難しいと考えられる。
【０００５】
本発明は上記問題点を解決するもので、比較的簡単な構造ながら、何ら治具を使うことなく手で簡単に蓋体を開閉でき、開口に蓋をすれば安定して不用意に蓋体が浮き上がらず安全性に富み、さらに開口内の面積を狭めるものがなくマンホール等の人の出入り口用としても有用な開閉蓋を提供することを目的とする。
【０００６】
【課題を解決するための手段】
上記目的を達成すべく、請求項１に記載の発明の要旨は、開口枠の一側寄りの開口内を横断して開口枠の枠板に支持される軸部材（２）と、該軸部材に一体化して支持され、開口に蓋をし得る大きさで且つ該軸部材を支点に回動させ開口の開け閉めを可能にする蓋体（３）と、前記軸部材に固着されるスプロケット（４１）と、該スプロケットにチェーンの一端が止着され、該チェーンの他端が弾性部材を介在させて前記開口枠に止着される引張具（５）と、を具備し、前記弾性部材を弾性伸長させた状態にして、前記蓋体が開口に蓋されるようにしたことを特徴とする開閉蓋にある。
請求項２に記載の発明の要旨は、開口枠の一側寄りの開口内を横断して開口枠の枠板に支持される軸部材（２）と、該軸部材に一体化して支持され、開口に蓋をし得る大きさで且つ該軸部材を支点に回動させ開口の開け閉めを可能にする蓋体（３）と、前記軸部材が前記開口枠の開口内から枠板外に突出する突出部に固着されるスプロケット（４１）と、該スプロケットにチェーンの一端が止着され、該チェーンの他端が弾性部材を介在させて前記開口枠に止着される引張具（５）と、を具備し、前記弾性部材を弾性伸長させた状態にして、前記蓋体が開口に蓋されるようにしたことを特徴とする開閉蓋にある。
請求項３の発明たる開閉蓋は、請求項１又は２で、スプロケットをプーリに変更し、且つ前記チェーンをベルト又はロープに変更してなることを特徴とする。
【０００７】
請求項１の発明のごとく軸部材と蓋体とスプロケットと引張具とを具備し、弾性部材を弾性伸長させた状態にして前記蓋体が開口に蓋されると、蓋体を開ける際に弾性部材の弾性復元力が働いて、何ら治具などを使用しなくても手で蓋体を容易に回動させて開けることができる。弾性部材の弾性復元力が働いていても、蓋体の重量等とバランスをとれば、蓋体で開口に蓋をすれば安定して蓋体は不用意に浮き上がらない。
さらに請求項２の発明のごとく、スプロケットが開口枠の開口内から枠板外に突出する軸部材の突出部に固着されると、開口内が広くなり、マンホール等の人の出入り口用等としても有用になる。開口が投雪口になる場合も、雪かきして集めた雪をそこへ投入し易くなる。
【０００８】
【発明の実施の形態】
以下、本発明の開閉蓋について詳述する。図１〜図７は開閉蓋の一形態で、図１は片方の蓋体を回動して開口の半分だけ開いた状態にある開閉蓋の全体斜視図、図２は図１で左下の軸部材の中心軸を通る横断面図、図３は図１の開口に蓋体で蓋した状態の平面図、図４は図３の開閉蓋の正面図、図５は図４の状態から両方の蓋体を回動し開口状態にした開閉蓋の正面図、図６は（イ）がスプロケット，引張具周りの部分拡大図、同図（ロ）がスプロケットに代えプーリを用いた他態様の部分拡大図、図７は別形態の開閉蓋の斜視図である。なお、図１はスプロケット４１，引張具５を判り易くするため、手前側の鍔板１１ａ，１１ｂを透視した状態で図示する。
【０００９】
開閉蓋は開口枠１と軸部材２と蓋体３とスプロケット４１（又はプーリ４２）と引張具５とを具備する。
開口枠１は帯板の幅方向を起立させた枠板１１，１２で長方形の開口１０を形成する金属製枠体である。ここでは長手方向の両枠板１１（以下、「長板」という。）の上縁をさらに水平外方に延設して鍔板１１ａを形成し、その先端１１ｂを下方に折曲する。そして、一方の長板１１の中央外面に起立板１９１を図１のごとく垂直方向に配して立設する。該起立板１９１の両板面には長板１１に平行になるようにして取付片１９２が固着される。また長板１１はその下縁が相対向するよう内向きに延設し、内向き鍔状の底板１３を形成する（図２）。両底板１３の上には側面視逆Ｌ字形の支持板１４が逆Ｌ字状のその上端を長板１１に当接して設置され、該支持板１４を底板１３と長板１１に溶接固定する。支持板１４の上面は水平面になり、蓋体３が開口１０を蓋したときに該水平面上に蓋体３が載る構成である。流雪溝７０が設けられた側溝７の段差部７１に底板１３を載せるようになっている。図２中、符号ＧＬは路面を示す。
開口枠１の一側寄り（ここでは短板１２寄り）の長板１１には透孔１１５が設けられる。本実施形態は蓋体３を観音開きにするため、両短板１２寄りにそれぞれ透孔１１５を設ける。
【００１０】
軸部材２は開口枠１の短板１２寄りの開口１０内を主部２１が横断して開口枠１の長板１１に支持される金属製軸体である。軸部材２の両端部は前記透孔１１５を通って長板１１外に突出し、その一方の突出部２２にスプロケット４１を固着する。符号９１は他方の突出部２２が長板１１から外れないようにするための割りピン等の止具を示す。
なお、本実施形態は軸部材２が蓋体３に一体化される外筒１６内を挿通後、外筒１６，軸部材２に設けた通孔にボルト８ａ，ナット８ｂの固定具８で両者が一体化され、外筒１６より突き出す軸部材２の両端部を前記長板１１の透孔１１５に回転可能に挿着する。
【００１１】
蓋体３は前記軸部材２に一体化して支持されて、該軸部材２を支点に回動させ開口１０の開け閉めを可能にする盤体である。ここでの蓋体３は開口１０をほぼニ分する大きさの一対の金属製グレーチング溝蓋からなる。
夫々の蓋体３は全体形状が盤状直方体をなし、多数の金属製帯板からなるメインバー３１とこれに直交する金属製棒状体からなるツイストバー３２で組格子を形成して、メインバー３１の両端面を一定幅の側板３３で囲む。組格子の形成によりスリット３０ができる。蓋体３の一側寄りのスリット３０内に金属製パイプからなる外筒１６を配設し、該外筒端部を側板３３に固定する。外筒１６が固定される側板３３には外筒１６の筒孔に合わせて通孔３３１が形成されており、外筒１６を挿通した前記軸部材２はこの通孔３３１を貫通し、更に既述のように透孔１１５を通って長板１１外に突出する。蓋体３に外筒１６が固定され、外筒１６は軸部材２に固定具８で一体になっていることから、蓋体３は軸部材２に一体化し、軸部材２が回転すればこれに伴って回転する。
それぞれの蓋体３に一体化した軸部材２が両短板１２寄りの透孔１１５に挿着されて、図３〜図５のように両蓋体３が開口１０に蓋をし得る大きさになっている。且つ両蓋体３を軸部材２を支点に回動させ観音開きができるようになっている。
【００１２】
なお、開口枠１に取付けられた蓋体３が軸部材２を支点に回動できるよう、回動する際に蓋体３が干渉する支持板１４の部分はカットされる。また蓋体３が開口枠１の短板１２に邪魔されることなく回動できるよう、開口１０に蓋した状態にある蓋体３は短板との間に隙間εが設けられる。
符号３６はスリット３０の一部を遮蔽して蓋体３に固着した取付板である。該取付板３６に本出願人が発明開示した把手３７（特開２００１−１１５５３９号）を取付けている。把手３７からＴ字形に垂直軸部が下方に延び、取付板３６に設けた小孔を貫通し、垂直軸部の先端にストッパ３７３が設けられる。符号３８はプレス成形品からなる保持体を示す。
【００１３】
スプロケット４１は軸部材２が前記開口枠１の開口１０内から枠板１１外に突出する突出部２２に固着される鎖歯車である。スプロケット４１の本体面と取付片１９２の板面はほぼ同一面上にある（図３）。
【００１４】
引張具５はチェーン５１と弾性部材５５とを備える。チェーン５１は鎖伝動に用いられるような環状形成されたものでなく、一本のひも状体である。スプロケット４１にチェーン５１の一端が止着され、該チェーン５１の他端は弾性部材５５を介在させて前記開口枠１に止着される。ここでは弾性部材５５に弾性コイルバネを使用しており、該コイルバネ５５を弾性伸長させた状態にし、引張りの力が働く状態で前記蓋体３が開口１０に蓋される。軸部材２を支点に蓋体３を回動させ、該蓋体３で開口１０に蓋したとき、チェーン５１は長板１１中央寄りの下側からスプロケット４１に噛合して巻き掛けられる。詳しくは、スプロケット４１の外周に形成された歯にチェーン５１が１／４周以上（好ましくは９０°〜３３０°の範囲、より好ましくは１８０°〜３３０°の範囲）巻き掛けられ、その端部（一端）が係止具６でスプロケット４１に固定されている。チェーン５１が９０°（より好ましくは１８０°）以上スプロケット４１に巻き掛けられることによって蓋体３の開閉が可能となる。３３０°以下とするのはそれ以上になると、スプロケット４１上でチェーン５１が互いに干渉する虞れがあるからである。本実施形態は図１，図４のごとく蓋体３で開口１０に蓋したとき、チェーン５１が約３／４周（約２７０°）の範囲でプロケット４１に巻き掛けられる。
一方、長板１１中央寄りに配されたチェーン５１の他端は、スプロケット４１の外周から長板１１に沿って前記取付片１９２の方向へ配設される。そして、チェーン５１の他端はコイルバネ５５の一端に接続し、該コイルバネ５５の他端を前記取付片１９２の円孔１９２ａに係止することで、弾性部材５５を弾性伸長させる状態にして、前記蓋体３が開口１０に蓋される構成である。かくして、蓋体３を持ち上げて蓋を開ける場合は、弾性伸長状態にあるコイルバネ５５に弾性収縮しようとする復元力が働き、作業者は楽に蓋体３を開けることができる。一方、蓋体３を開けた状態から蓋体３で開口１０に蓋をしようとする場合は、蓋体３が閉まるにつれコイルバネ５５が伸長し弾性復元力が大きくなるので、ゆっくり閉まるようになる。
弾性部材５５としては本コイルバネの以外に、他のバネ部材やエアシリンダ等を用いることができる。
【００１５】
コイルバネ５５及びスプロケット４１の仕様は蓋体３の重量等を鑑み、適宜選定される。蓋体３の重量が大であるときは、コイルバネ５５の弾性復元力を大きくし且つスプロケット４１の外径も大きくして、蓋体３を回転，持ち上げる際の作業者の負担を軽減する。
具体的には、スプロケット４１の半径ｒ［ｍ］、蓋体３で開口１０に蓋をしたときのコイルバネ５５に働く引張力Ｆ［ｋｇｍ／ｓ２］は、軸部材２から蓋体３の重心までの距離がＬ［ｍ］、蓋体３の重量がＷ［ｋｇ］であれば、次式の範囲で決定するのが好ましい。
ＬＷｇ／２≦ｒＦ＜ＬＷｇ　　…（１）式
ここで、ｇは重力加速度［ｍ／ｓ２］である。（１）式の範囲でコイルバネ５５及びスプロケット４１の仕様を決定すれば、ｒＦ＜ＬＷｇであり、蓋したときに蓋体３が不用意に開口１０から浮かび上がることがない。またコイルバネ５５の引張力は経時変化で弱まることはあっても強大化することはないので、使用中に蓋体３が不用意に持ち上がることはありえず、安全性に優れる。しかも、ＬＷｇ／２≦ｒＦであることから、蓋体３を持ち上げる場合、スプロケット４１，引張具５がない場合に必要な力の半分以下の力で持ち上げることができる。ｒＦ値をＬＷｇ値に近づけていけば、より少ない力で蓋体３の開け閉めが可能になる。
【００１６】
可動部のスプロケット４１，引張具５の上方は前記鍔板１１ａ，１１ｂが在り，これがスプロケット４１，引張具５を覆っている。従って、開閉蓋は見栄えが良く且つ安全な開閉蓋になっている。
なお、スプロケット４１，引張具５は開口１０内に配設することもできるが、本実施形態のごとく開口１０の枠板１１外に配設する方がより好ましい。スプロケット４１，チェーン５１等の駆動部分が枠板１１外に設けられるので、開口１０内を作業者が出入りする開閉蓋として用いられたときは安全で且つ出入りし易い。また開口１０内に邪魔するものがなくなり、開口１０を大きく取れることから、雪かきして集めた雪を投入する場合などでは投入作業がし易くなるからである。
【００１７】
本実施形態はスプロケット４１とチェーン５１，コイルバネ５５を備えた引張具５を用いるが（図６のイ）、例えば、図６（ロ）のようにスプロケット４１に代えベルト及びロープ伝動等に用いられるプーリ４２とし、チェーン５１に代えベルト５２又はロープ（図示せず）を用いることができる。ロープにはワイヤを含む。スプロケット４１，チェーン５１と略同じ本発明の作用，効果が得られるからである。
【００１８】
図７は他形態の開閉蓋の斜視図を示す。図１〜図６の開閉蓋は側溝７の流水流れ方向と直角に軸部材２を配するようにしたが、図７の開閉蓋は側溝の流水流れ方向に沿わせて軸部材２を配設する。また外筒１６はなく、軸部材２が直接開口枠１に取付けられ、軸部材２は開口枠１の一側寄りの開口１０内を横断して開口枠１の枠板１１に支持される。ここでの軸部材２は一本ものを用いることは製作上難しく、溶接結合させ一本化したものが用いられる。他の開閉蓋の基本構成は図１〜図６の開閉蓋と同じで、その説明を省く。図１〜図６と同一符号は同一又は相当部分を示す。
【００１９】
このように構成した開閉蓋は、蓋体３を回動させる軸部材２にスプロケット４１と引張具５を取付けただけの比較的簡単な構造であるので、従来品に比し低コストで製作できる。それでいて、治具等もなしで、作業者は手で楽に蓋体を開閉できる。蓋体３を開ける場合はコイルバネ５５の復元力が作用して容易に開けられる一方、蓋体３を閉める場合は蓋体３が閉まるにつれコイルバネ５５が伸長しこれに伴い元に戻ろうとする引張力が増加するので、重い金属製の蓋体３が勢いよく閉じることがない。作業安全性の見地から極めて優れたものとなっている。しかも、蓋体３で開口１０に蓋をすれば、ロック手段等を取付けなくても、蓋体３が不用意に持ち上がることがないので安全であり、管理する上からも極めて望ましい開閉蓋になっている。勿論、ロック手段等も必要ないので、開閉蓋の一層の低コスト化を実現する。
【００２０】
加えて、開口１０内は開口枠１の一側寄りに配設される軸部材２を除いて何もないので、開口１０内が広く、雪かきして集めた雪をそこへ投入し易くなる。雪が開口１０内を埋め尽くす状態になっても、従来技術のようなバランスウエイト等がないことから、蓋体３を回動させて開口１０に蓋をすることが容易となる。また、開口１０内に邪魔をする部材がないので、マンホール等の人の出入り口用の開閉蓋として打ってつけとなる。
さらに本開閉蓋は可動部があってもシンプルな構造で壊れ難い。長期使用によりコイルバネ５５の弾性復元力が低下した場合でも、この部分だけの交換で済み、取替えが容易でメンテナンス維持にも優れる。
【００２１】
尚、本発明においては前記実施例に示すものに限られず、目的，用途に応じて本発明の範囲で種々変更できる。開口枠１，軸部材２，蓋体３，スプロケット４１，プーリ４２，引張具５等の形状，大きさ，個数，材質等は用途に合わせて適宜選択できる。
【００２２】
【発明の効果】
以上のごとく、本発明の開閉蓋は、簡単な構造にして手で楽に蓋体を開閉でき、蓋された蓋体は不用意に浮き上がらず安全性に富み、さらに開口内の面積を狭めるものがなくマンホール等の人の出入り口用としても優れ、極めて有益なものとなる。
【図面の簡単な説明】
【図１】開閉蓋の一形態で、片方の蓋体を回動して開口の半分だけ開いた状態にある開閉蓋の全体斜視図縦断面図である。
【図２】図１で左下の軸部材の中心軸を通る横断面図である。
【図３】図１の開口に蓋体で蓋した状態の平面図である。
【図４】図３の開閉蓋の正面図である。
【図５】図４の状態から両方の蓋体を回動し開口状態にした開閉蓋の正面図である。
【図６】（イ）がスプロケット，引張具周りの部分拡大図、同図（ロ）がスプロケットに代えプーリを用いた他態様の部分拡大図である。
【図７】別形態の開閉蓋の斜視図である。
【符号の説明】
１　　　　　開口枠
１０　　　　開口
１１　　　　枠板（長板）
１２　　　　枠板（短板）
２　　　　　軸部材
２２　　　　突出部
３　　　　　蓋体
４１　　　　スプロケット
４２　　　　プーリ
５　　　　　引張具
５１　　　　チェーン
５２　　　　ベルト
５５　　　　コイルバネ（弾性部材）
【図１】
2004137695.tif 000003
【図２】
2004137695.tif 000004
【図３】
2004137695.tif 000005
【図４】
2004137695.tif 000006
【図５】
2004137695.tif 000007
【図６】
2004137695.tif 000008
【図７】
2004137695.tif 000009